(57)【要約】【課題】用途目的に応じて高さを選択的に変えて使用できる枕を、コンパクトな構成且つ安い製作コストで実現できるようにすること。【解決手段】本考案に係る枕（１）は、互いに直交する３辺（ａ，ｂ，ｃ）の長さがそれぞれ異なる略直方体形状体からなり、略直方体形状体における６つの面（Ｓ１〜Ｓ６）のうち互いに同一形状でない少なくとも２つの面（Ｓ１，Ｓ３、Ｓ２，Ｓ４）に、それぞれ最深部が１ｃｍ程度の凹部（Ｃ１，Ｃ３、Ｃ２，Ｃ４）を設けたことを特徴とする。【選択図】      図１
0003139779.tif 000002
【実用新案登録請求の範囲】
【請求項１】
互いに直交する３辺（ａ，ｂ，ｃ）の長さがそれぞれ異なる略直方体形状体からなり、略直方体形状体における６つの面（Ｓ１〜Ｓ６）のうち互いに同一形状でない少なくとも２つの面（Ｓ１，Ｓ３、Ｓ２，Ｓ４）に、それぞれ最深部が１ｃｍ程度の凹部（Ｃ１，Ｃ３、Ｃ２，Ｃ４）を設けたことを特徴とする枕。
【請求項２】
檜や樫等の木材を素材として構成される請求項１に記載の枕。
【請求項３】
「椿油」または「柿渋」を前記略直方体形状体の表面に塗布することで表面仕上げがされている請求項２に記載の枕。
【請求項４】
請求項３に記載の枕（１）と、当該枕（１）を載置するための敷き板（２）とを備え、当該敷き板（２）の表面は、前記枕（１）の表面と同一の表面処理剤を塗布することで表面仕上げがされていることを特徴とする敷き板付きの枕。
【考案の詳細な説明】
【技術分野】
【０００１】
本考案は枕に関する。より詳しくは、読書、テレビ鑑賞、就寝等の用途目的に応じて高さを選択的に変えて使用することのできる枕に関する。
【背景技術】
【０００２】
この手の枕の考案として、例えば特許文献１には、正面断面形状を凹字状に形成し、両側突出部間の距離を略頭部の大きさとした枕が開示されている。また、特許文献２には、頂点部を面取りした不等辺三角状の側板を左右に対設し、各対応する面取り間に中間部上面を湾曲状凹部に形成し且つ縁をア−ル取りした枕板を一体的に架設した三段枕が開示されている。
【０００３】
【特許文献１】実開平６−３８９３７号公報
【特許文献２】実開平６−６６４４４号公報
【考案の開示】
【考案が解決しようとする課題】
【０００４】
特許文献１に記載の枕は、頭を載せる部分が平面視部分の３箇所にあり低面積が広いため、持ち運びに不便である。それと併せて、押入れ等の収納庫に仕舞うときに広いスペースが必要となる。特許文献２に記載の枕は、３枚の枕板と不等辺三角状の２枚の側板とを構成部材としており、部品点数が多く且つ構造が複雑であり、製作コストが高くつく。本考案はこのような問題に鑑みてなされたものであり、用途目的に応じて高さを選択的に変えて使用できる枕を、コンパクトな構成且つ安い製作コストで実現できるようにすることを目的とする。
【課題を解決するための手段】
【０００５】
上記目的を達成するために、本考案に係る枕１は、互いに直交する３辺（ａ，ｂ，ｃ）の長さがそれぞれ異なる略直方体形状体からなり、略直方体形状体における６つの面（Ｓ１〜Ｓ６）のうち互いに同一形状でない少なくとも２つの面（Ｓ１，Ｓ３、Ｓ２，Ｓ４）に、それぞれ最深部が１ｃｍ程度の凹部（Ｃ１，Ｃ３、Ｃ２，Ｃ４）を設けたことを特徴とする。
【０００６】
また、本考案に係る枕１は、次に示す構成とされることが好ましい。即ち、檜や樫等の木材を素材として構成されること、「椿油」または「柿渋」を前記略直方体形状体の表面に塗布することで表面仕上げがされていること、前記枕（１）と、当該枕（１）を載置するための敷き板（２）とを備え、当該敷き板（２）の表面は、前記枕（１）の表面と同一の表面処理剤を塗布することで表面仕上げがされていることである。
【０００７】
椿油や柿渋は、手垢が付き難いうえに木の呼吸作用も妨げないので本考案に係る枕１の表面処理として最適である。  ニス、ペンキ、うるし等は、表面を完全に被覆して木の呼吸作用を殺してしまい、また汗等の水分も透過しないので本考案に係る枕１の表面処理としては、不向きである。
【０００８】
なお、実用新案登録請求の範囲及び課題を解決するための手段の各欄において各構成要素に付した括弧書きの符号は、後述する実施形態に記載の具体的手段との対応関係を示すものである。
【考案の効果】
【０００９】
本考案によると、用途目的に応じて高さを選択的に変えて使用できる枕が、コンパクトな構成且つ安い製作コストで実現できる。
【考案を実施するための最良の形態】
【００１０】
図１は本考案に係る枕１の外観斜視図、図２は本考案に係る枕１の正面及び平面断面図である。なお、図２では図２（Ａ）が正面断面図であり、図２（Ｂ）が平面断面図である。本考案に係る枕１は、檜や樫等の木材を材質としている。枕１は、互いに直交する３辺ａ，ｂ，ｃの長さがそれぞれ異なる略直方体形状体からなり、３辺ａ，ｂ，ｃの長さは、それぞれ６ｃｍ〜８ｃｍ、９ｃｍ〜１２ｃｍ、１４ｃｍ〜１７ｃｍとされる。この略直方体形状体における６つの面Ｓ１〜Ｓ６は、互いに対向配置とされた一対の面Ｓ１，Ｓ２と、この面Ｓ１，Ｓ２に直交し且つ互いに対向配置とされた一対の面Ｓ３，Ｓ４と、この面Ｓ３，Ｓ４に直交し且つ互いに対向配置とされた一対の面Ｓ５，Ｓ６とからなる。
【００１１】
面Ｓ１には、最深部が１ｃｍ程度の凹部Ｃ１が形成され、面Ｓ２には、最深部が１ｃｍ程度の凹部Ｃ２が形成されている。凹部Ｃ１，Ｃ２の平面視面積は、それぞれ面Ｓ１，Ｓ２の面積よりも若干小さい程度である。面Ｓ３には、最深部が１ｃｍ程度の凹部Ｃ３が形成され、面Ｓ４には、最深部が１ｃｍ程度の凹部Ｃ４が形成されている。凹部Ｃ３，Ｃ４の平面視面積は、それぞれ面Ｓ３，Ｓ４の面積よりも若干小さい程度である。略直方体形状体の表面は、「椿油」または「柿渋」を塗布することで表面仕上げがされている。
【００１２】
次に、上述のように構成された枕１の作用効果について、図３を参照しながら説明する。就寝用として使用するときは、図３（Ａ）に示すように、枕１の面Ｓ１または面Ｓ２を底面にして床面または敷布団の上に置き、この状態で使用者は後頭部または側頭部を凹部Ｃ１または凹部Ｃ２に載せる。このとき枕１の高さは６ｃｍ〜８ｃｍであり、就寝用として程良い高さである。
【００１３】
テレビ鑑賞用として使用するときは、図３（Ｂ）に示すように、枕１の面Ｓ３または面Ｓ４を底面にして床面上に置き、この状態で使用者は側頭部または頬部を凹部Ｃ３または凹部Ｃ４に載せる。このとき枕１の高さは９ｃｍ〜１２ｃｍであり、使用者は適当な距離のところにあるテレビ画面を横臥しながら観ることができる。
この枕１に小型スピーカを耳の近くで埋め込んで、テレビの音声やＢＧＭを周囲に気兼ねせずに小音量で楽しむこともできる。(図示はしていない)
【００１４】
読書用として使用するときは、図３（Ｃ）に示すように、枕１の面Ｓ５または面Ｓ６を底面にして床面上に置き、この状態で使用者は側頭部または頬部を面Ｓ５または面Ｓ６に載せる。このとき枕１の高さは１４ｃｍ〜１７ｃｍであり、使用者は床面または敷布団の上に置いた本を横臥しながら読むことができる。
【００１５】
枕１は木製である故、適度な硬さが得られ、これにより使用者は安眠を得ることができる。特に後頭部や頸椎を凹部Ｃ１〜Ｃ４のいずれかに載せた場合には、程良い刺激を脊髄に付与できるため、健康増進効果及び疲労回復効果を見込むことができる。なお、硬過ぎるという人は、タオルケット等のクッション手段を枕１の上に敷くと快適である。略直方体形状体の表面は、「椿油」または「柿渋」で表面仕上げがされているため、手垢が付きにくく、また、汗等の水分も透過するので、枕として非常に好都合である。それ故に、日中の昼寝や短時間の休憩で横になる用途にも向いている。特に構造が簡単であるので、持ち運びや収納が手軽にできると共に、安価且つ容易に製作が可能である。
【００１６】
枕１は斬新なデザイン及び優美なスタイルとされており審美性にも富む。枕として使用しないときは、例えば図４に示すような敷き板２の上に載せて居間などに飾っておくことができる。この場合、一見して枕とはわからず、違和感が無くインテリアアクセサリー位に見られる。敷き板２の表面も、枕１の場合と同一の表面処理剤、即ち「椿油」または「柿渋」を塗布することで表面仕上げがされているとよい。色合いが枕１と調和するからである。
【００１７】
以上、本考案の実施の形態について説明を行ったが、上に開示した実施の形態は、あくまで例示であって、本考案の範囲はこの実施の形態に限定されるものではない。本考案の範囲は、実用新案登録請求の範囲の記載によって示され、更に実用新案登録請求の範囲と均等の意味及び範囲内でのすべての変更を含むことが意図される。
【図面の簡単な説明】
【００１８】
【図１】本考案に係る枕の外観斜視図である。
【図２】本考案に係る枕の正面及び平面断面図である。
【図３】本考案に係る枕の使用例を示す図である。
【図４】本考案に係る枕を敷き板に載せた状態を示す図である。
【符号の説明】
【００１９】
１  枕
２  敷き板
ａ  辺
ｂ  辺
ｃ  辺
Ｓ１〜Ｓ６  面
Ｃ１〜Ｃ４  凹部
【図１】
0003139779.tif 000003
【図２】
0003139779.tif 000004
【図３】
0003139779.tif 000005
【図４】
0003139779.tif 000006